(57)【要約】【課題】予め搭載されている基本機能とは別の拡張機能を情報入出力機器に追加でき、情報入出力機器がサーバ装置と連動して拡張機能を実行できる情報処理システムの提供。【解決手段】情報処理システムにおいて、情報入出力機器２０は、入力受付部が利用者から所定の拡張機能の実行が指令されると、当該拡張機能に関する情報をサーバ装置１に送信し、情報入出力機器２０から受信した特定の拡張機能に関する情報をサーバ装置１にて処理させるように構成され、サーバ装置１は、所定の参照情報に基づいて、情報入出力機器２０で既に追加設定されている拡張機能が実行されることが好ましいか否かを決定し、実行されることが好ましいと決定した拡張機能の実行を促す提案情報を情報入出力機器２０に送信する提案情報送信処理を行い、情報入出力機器２０は、サーバ装置１から受信した提案情報を利用者に対して出力する提案情報出力処理を行う。【選択図】図６
2020150410.tif 000002
【特許請求の範囲】
【請求項１】
施設に設置される動作機器との間で情報通信を行うと共に、利用者に対して前記動作機器の動作に関する情報の出力を行う出力部と、前記動作機器の動作に関する利用者による操作入力を受け付ける複数のスイッチを有する入力受付部とを備える情報入出力機器を備え、
前記情報入出力機器は、サーバ装置との間で情報通信網を介して情報通信可能に構成され、
前記情報入出力機器で実行可能な機能には、前記動作機器の動作に関して予め搭載されている基本機能が有り、
前記情報入出力機器が前記基本機能を実行する場合に利用者に対して要求される固有のスイッチ操作と、当該基本機能に関して前記情報入出力機器で行われる処理とが関連付けられた状態で予め設定されており、
前記スイッチ操作は、複数の前記スイッチのうちの何れかの操作対象スイッチと、当該操作対象スイッチに対する操作入力手法との組み合わせで規定されている情報処理システムであって、
前記情報入出力機器で実行可能な機能には、前記情報入出力機器に追加設定可能な拡張機能が有り、
前記情報入出力機器に前記拡張機能が追加設定されると、前記情報入出力機器が前記拡張機能を実行する場合に利用者に対して要求される固有の前記スイッチ操作と、当該拡張機能に関して前記情報入出力機器で行われる処理とが関連付けられた状態で追加設定され、前記サーバ装置では、前記情報入出力機器に当該拡張機能が追加設定されたことが記憶され、
前記情報入出力機器は、前記入力受付部が利用者から所定の前記拡張機能に対応する前記スイッチ操作を受け付けた場合、当該拡張機能の実行が指令されたと判定して、当該拡張機能に関する情報を前記サーバ装置に送信し、
前記情報入出力機器から受信した特定の前記拡張機能に関する情報を前記サーバ装置にて処理させるように構成され、
前記サーバ装置は、所定の参照情報に基づいて、前記情報入出力機器で既に追加設定されている前記拡張機能が実行されることが好ましいか否かを決定し、実行されることが好ましいと決定した前記拡張機能の実行を促す提案情報を前記情報入出力機器に送信する提案情報送信処理を行い、
前記情報入出力機器は、前記サーバ装置から受信した前記提案情報を利用者に対して出力する提案情報出力処理を行う情報処理システム。
【請求項２】
前記拡張機能の一つとして、前記施設での冷房運転及び暖房運転の少なくとも一方を行うことができる温調用の動作機器に対して、前記サーバ装置から動作開始及び動作停止の切替指令を送信する機器制御機能があり、
前記サーバ装置は、前記提案情報送信処理において、収集済みの前記施設の環境に関するデータを前記参照情報として解析し、前記温調用の動作機器を動作開始又は動作停止すれば前記施設の環境が好ましい環境に近付くと予測される場合に、前記機器制御機能が実行されることが好ましいと決定し、実行されることが好ましいと決定した前記機器制御機能の実行を促す前記提案情報を前記情報入出力機器に送信する請求項１に記載の情報処理システム。
【請求項３】
前記拡張機能の一つとして、前記施設に設置された監視対象の動作機器のためのメンテナンス作業を依頼する作業依頼機能があり、
前記サーバ装置は、前記提案情報送信処理において、収集済みの前記監視対象の動作機器の状態に関するデータを前記参照情報として解析し、前記監視対象の動作機器のメンテナンス作業を依頼することが好ましいと判定される場合に、前記作業依頼機能が実行されることが好ましいと決定し、実行されることが好ましいと決定した前記作業依頼機能の実行を促す前記提案情報を前記情報入出力機器に送信する請求項１に記載の情報処理システム。
【請求項４】
施設に設置される動作機器との間で情報通信を行うと共に、利用者に対して前記動作機器の動作に関する情報の出力を行う出力部と、前記動作機器の動作に関する利用者による操作入力を受け付ける複数のスイッチを有する入力受付部とを備える情報入出力機器を備え、
前記情報入出力機器は、サーバ装置との間で情報通信網を介して情報通信可能に構成され、
前記情報入出力機器で実行可能な機能には、前記動作機器の動作に関して予め搭載されている基本機能が有り、
前記情報入出力機器が前記基本機能を実行する場合に利用者に対して要求される固有のスイッチ操作と、当該基本機能に関して前記情報入出力機器で行われる処理とが関連付けられた状態で予め設定されており、
前記スイッチ操作は、複数の前記スイッチのうちの何れかの操作対象スイッチと、当該操作対象スイッチに対する操作入力手法との組み合わせで規定されている情報処理システムであって、
前記情報入出力機器で実行可能な機能には、前記情報入出力機器に追加設定可能な拡張機能が有り、
前記情報入出力機器に前記拡張機能が追加設定されると、前記情報入出力機器が前記拡張機能を実行する場合に利用者に対して要求される固有の前記スイッチ操作と、当該拡張機能に関して前記情報入出力機器で行われる処理とが関連付けられた状態で追加設定され、
前記情報入出力機器は、前記入力受付部が利用者から所定の前記拡張機能に対応する前記スイッチ操作を受け付けた場合、当該拡張機能の実行が指令されたと判定して、当該拡張機能に関する情報を前記サーバ装置に送信し、
前記情報入出力機器から受信した特定の前記拡張機能に関する情報を前記サーバ装置にて処理させるように構成され、
前記サーバ装置は、収集済みの前記動作機器の状態に関するデータ又は収集済みの前記施設の環境に関するデータを用いて、前記拡張機能に関する情報を処理する情報処理システム。
【請求項５】
前記拡張機能の一つとして、前記施設に設置された特定の前記動作機器の状態を検証するための機器状態検証機能があり、
前記サーバ装置は、前記拡張機能の一つとして設定されている前記機器状態検証機能に関する情報を処理する場合、収集済みの特定の前記動作機器の状態に関するデータを解析し、特定の前記動作機器の状態の検証結果が前記情報入出力機器において利用者に対して出力されるように前記情報入出力機器へ送信する請求項４に記載の情報処理システム。
【請求項６】
前記拡張機能の一つとして、前記施設に設置された特定の前記動作機器の状態を検証するための機器状態検証機能があり、
前記サーバ装置は、前記拡張機能の一つとして設定されている前記機器状態検証機能に関する情報を処理する場合、収集済みの特定の前記動作機器の状態に関するデータを解析した結果が特定の前記動作機器で問題が発生しているという内容になる場合、特定の前記動作機器で発生している問題への対処方法についての情報を、前記情報入出力機器において利用者に対して出力されるように前記情報入出力機器へ送信するという処理を実行する請求項４又は５に記載の情報処理システム。
【請求項７】
前記拡張機能の一つとして、前記施設に設置された特定の前記動作機器の状態を検証するための機器状態検証機能があり、
前記サーバ装置は、前記拡張機能の一つとして設定されている前記機器状態検証機能に関する情報を処理する場合、収集済みの特定の前記動作機器の状態に関するデータを解析した結果が特定の前記動作機器で問題が発生しているという内容になる場合、特定の前記動作機器で発生している問題への対処を行うという処理を実行する請求項４又は５に記載の情報処理システム。
【請求項８】
前記情報入出力機器は、特定の前記拡張機能に関する情報を前記サーバ装置に送信すると共に、前記施設に設置された特定の前記動作機器の状態に関するデータを前記サーバ装置に送信する請求項５〜７の何れか一項に記載の情報処理システム。
【請求項９】
前記拡張機能の一つとして、前記施設での冷房運転及び暖房運転の少なくとも一方を行うことができる温調用の動作機器に対して、前記サーバ装置から動作制御指令を送信する温調機能があり、
前記サーバ装置は、前記拡張機能の一つとして設定されている前記温調機能に関する情報を処理する場合、収集済みの前記施設の環境に関するデータを解析し、前記施設の環境を好ましい環境に近付けるための前記温調用の動作機器の運転条件を決定して、前記運転条件に従った運転を前記温調用の動作機器で行わせるための動作制御指令を前記温調用の動作機器へ送信する請求項４に記載の情報処理システム。
【請求項１０】
前記情報入出力機器は、前記拡張機能に関する情報を前記サーバ装置に送信すると共に、前記施設の環境に関するデータを前記サーバ装置に送信する請求項９に記載の情報処理システム。
【請求項１１】
請求項１〜１０の何れか一項に記載の情報処理システムで用いられる前記情報入出力機器としての機能を備える情報入出力機器。
【発明の詳細な説明】
【技術分野】
【０００１】
本発明は、施設に設置される動作機器との間で情報通信を行うと共に、利用者に対して前記動作機器の動作に関する情報の出力を行う出力部と、前記動作機器の動作に関する利用者による操作入力を受け付ける複数のスイッチを有する入力受付部とを備える情報入出力機器を備え、前記情報入出力機器は、サーバ装置との間で情報通信網を介して情報通信可能に構成され、前記情報入出力機器で実行可能な機能には、前記動作機器の動作に関して予め搭載されている基本機能が有り、前記情報入出力機器が前記基本機能を実行する場合に利用者に対して要求される固有のスイッチ操作と、当該基本機能に関して前記情報入出力機器で行われる処理とが関連付けられた状態で予め設定されており、前記スイッチ操作は、複数の前記スイッチのうちの何れかの操作対象スイッチと、当該操作対象スイッチに対する操作入力手法との組み合わせで規定されている情報処理システム、及び、その情報処理システムで用いられる情報入出力機器に関する。
【背景技術】
【０００２】
特許文献１（特開２００４−２１９０００号公報）には、施設に設置される動作機器（熱源機１ａ）との間で情報通信を行う情報入出力機器（リモコン２）を備え、その情報入出力機器は、サーバ装置（サーバー３）との間で情報通信網を介して情報通信可能であるシステムが記載されている。
【０００３】
情報入出力機器で実行可能な機能には、動作機器の動作に関して予め搭載されている基本機能が有る。例えば、動作機器１０が給湯器であり、情報入出力機器２０が給湯器に付随して設けられるリモコンの場合、給湯実行機能、風呂湯張り機能、風呂追焚き機能などの基本機能がある。そして、リモコンには、給湯実行機能の実行・停止を切り替えるための「運転入／切」スイッチ、風呂湯張りの開始を指令するための「ふろ自動」スイッチ、風呂追焚きの開始を指令するための「追いだき」スイッチなどの操作対象スイッチが設けられ、各操作対象スイッチに対して所定の操作入力（例えば、１回の短時間押し操作など）が行われると、リモコンは、各機能に対する実行が指令されたと判定する。
【先行技術文献】
【特許文献】
【０００４】
【特許文献１】特開２００４−２１９０００号公報
【発明の概要】
【発明が解決しようとする課題】
【０００５】
情報入出力機器に、上記基本機能とは別の拡張機能を追加できれば好ましい。但し、予め搭載されていない拡張機能を情報入出力機器に追加する場合、利用者がその拡張機能の実行を指令するための操作対象スイッチも必要になる。
更に、情報入出力機器が、外部のサーバ装置と連動してその拡張機能を実行するようなシステムを構築できれば、サーバ装置が備える高い性能を利用できる点で好ましい。
【０００６】
本発明は、上記の課題に鑑みてなされたものであり、その目的は、予め搭載されている基本機能とは別の拡張機能を情報入出力機器に追加でき、情報入出力機器が外部のサーバ装置と連動して拡張機能を実行できる情報処理システム、及び、その情報処理システムで用いられる情報入出力機器を提供する点にある。
【課題を解決するための手段】
【０００７】
上記目的を達成するための本発明に係る情報処理システムの特徴構成は、施設に設置される動作機器との間で情報通信を行うと共に、利用者に対して前記動作機器の動作に関する情報の出力を行う出力部と、前記動作機器の動作に関する利用者による操作入力を受け付ける複数のスイッチを有する入力受付部とを備える情報入出力機器を備え、
前記情報入出力機器は、サーバ装置との間で情報通信網を介して情報通信可能に構成され、
前記情報入出力機器で実行可能な機能には、前記動作機器の動作に関して予め搭載されている基本機能が有り、
前記情報入出力機器が前記基本機能を実行する場合に利用者に対して要求される固有のスイッチ操作と、当該基本機能に関して前記情報入出力機器で行われる処理とが関連付けられた状態で予め設定されており、
前記スイッチ操作は、複数の前記スイッチのうちの何れかの操作対象スイッチと、当該操作対象スイッチに対する操作入力手法との組み合わせで規定されている情報処理システムであって、
前記情報入出力機器で実行可能な機能には、前記情報入出力機器に追加設定可能な拡張機能が有り、
前記情報入出力機器に前記拡張機能が追加設定されると、前記情報入出力機器が前記拡張機能を実行する場合に利用者に対して要求される固有の前記スイッチ操作と、当該拡張機能に関して前記情報入出力機器で行われる処理とが関連付けられた状態で追加設定され、前記サーバ装置では、前記情報入出力機器に当該拡張機能が追加設定されたことが記憶され、
前記情報入出力機器は、前記入力受付部が利用者から所定の前記拡張機能に対応する前記スイッチ操作を受け付けた場合、当該拡張機能の実行が指令されたと判定して、当該拡張機能に関する情報を前記サーバ装置に送信し、
前記情報入出力機器から受信した特定の前記拡張機能に関する情報を前記サーバ装置にて処理させるように構成され、
前記サーバ装置は、所定の参照情報に基づいて、前記情報入出力機器で既に追加設定されている前記拡張機能が実行されることが好ましいか否かを決定し、実行されることが好ましいと決定した前記拡張機能の実行を促す提案情報を前記情報入出力機器に送信する提案情報送信処理を行い、
前記情報入出力機器は、前記サーバ装置から受信した前記提案情報を利用者に対して出力する提案情報出力処理を行う点にある。
【０００８】
上記特徴構成によれば、情報入出力機器に搭載されている基本機能とは別の拡張機能を情報入出力機器に追加で搭載することができる。そして、情報入出力機器に拡張機能が追加設定されると、情報入出力機器が拡張機能を実行する場合に利用者に対して要求される固有のスイッチ操作と、その拡張機能に関して情報入出力機器で行われる処理とが関連付けられた状態で追加設定される。その結果、情報入出力機器は、入力受付部が利用者から所定の拡張機能に対応するスイッチ操作を受け付けた場合、基本機能と混同することなく拡張機能の実行が指令されたと判定できる。
加えて、情報入出力機器は、入力受付部が利用者から所定の拡張機能に対応するスイッチ操作を受け付けた場合、その拡張機能の実行が指令されたと判定して、その拡張機能に関する情報をサーバ装置に送信し、サーバ装置にて、情報入出力機器から受信した特定の拡張機能に関する処理を行わせる。従って、予め搭載されている基本機能とは別の拡張機能を情報入出力機器に追加でき、情報入出力機器が、外部のサーバ装置と連動してその拡張機能を実行できる情報処理システムを提供できる。
【０００９】
更に、サーバ装置は、情報入出力機器で既に追加設定されている拡張機能の実行が指令されていなくても、所定の参照情報に基づいて、その拡張機能が利用者によって実行されることが好ましいか否かを決定し、実行されることが好ましいと決定した拡張機能の実行を促す提案情報を情報入出力機器に送信する提案情報送信処理を行う。つまり、利用者は、情報入出力機器で既に追加設定している拡張機能が実行されるのに好ましいタイミングでその実行を促して貰えるという利点がある。そして、利用者は、その拡張機能の実行を希望するのであれば、その拡張機能に対応するスイッチ操作を行えばよい。
【００１０】
本発明に係る情報処理システムの別の特徴構成は、前記拡張機能の一つとして、前記施設での冷房運転及び暖房運転の少なくとも一方を行うことができる温調用の動作機器に対して、前記サーバ装置から動作開始及び動作停止の切替指令を送信する機器制御機能があり、
前記サーバ装置は、前記提案情報送信処理において、収集済みの前記施設の環境に関するデータを前記参照情報として解析し、前記温調用の動作機器を動作開始又は動作停止すれば前記施設の環境が好ましい環境に近付くと予測される場合に、前記機器制御機能が実行されることが好ましいと決定し、実行されることが好ましいと決定した前記機器制御機能の実行を促す前記提案情報を前記情報入出力機器に送信する点にある。
【００１１】
上記特徴構成によれば、拡張機能の一つとして、施設での冷房運転及び暖房運転の少なくとも一方を行うことができる温調用の動作機器に対して、サーバ装置から動作開始及び動作停止の切替指令を送信する機器制御機能が用意されている。利用者は、情報入出力機器においてこの機器制御機能に対応するスイッチ操作を行うことで、温調用の動作機器を制御するための専用のリモコン等を操作しなくても、温調用の動作機器の動作開始及び動作停止を実行できる。
更に、サーバ装置は、提案情報送信処理において、収集済みの施設の環境に関するデータを参照情報として解析し、温調用の動作機器を動作開始又は動作停止すれば施設の環境が好ましい環境に近付くと予測される場合に、機器制御機能が実行されることが好ましいと決定する。つまり、利用者は、温調用の動作機器を動作開始及び動作停止することが好ましいタイミングでその実行を促して貰える。そして、利用者は、機器制御機能の実行を希望するのであれば、機器制御機能に対応するスイッチ操作を行えばよい。
【００１２】
本発明に係る情報処理システムの更に別の特徴構成は、前記拡張機能の一つとして、前記施設に設置された監視対象の動作機器のためのメンテナンス作業を依頼する作業依頼機能があり、
前記サーバ装置は、前記提案情報送信処理において、収集済みの前記監視対象の動作機器の状態に関するデータを前記参照情報として解析し、前記監視対象の動作機器のメンテナンス作業を依頼することが好ましいと判定される場合に、前記作業依頼機能が実行されることが好ましいと決定し、実行されることが好ましいと決定した前記作業依頼機能の実行を促す前記提案情報を前記情報入出力機器に送信する点にある。
【００１３】
上記特徴構成によれば、拡張機能の一つとして、施設に設置された監視対象の動作機器のためのメンテナンス作業を依頼する作業依頼機能が用意されている。利用者は、情報入出力機器においてこの作業依頼機能に対応するスイッチ操作を行うことで、監視対象の動作機器の販売業者やメンテナンス業者へ電話連絡などを自分自身が行わなくても、その監視対象の動作機器のためのメンテナンス作業を依頼できる。
更に、サーバ装置は、提案情報送信処理において、収集済みの監視対象の動作機器の状態に関するデータを参照情報として解析し、監視対象の動作機器のメンテナンス作業を依頼することが好ましいと判定される場合に、作業依頼機能が実行されることが好ましいと決定する。つまり、利用者は、自身が監視対象の動作機器の状態に懸念を抱いていなくても、作業依頼機能が実行されることが好ましいタイミングで、その実行を促して貰える。そして、利用者は、作業依頼機能の実行を希望するのであれば、作業依頼機能に対応するスイッチ操作を行えばよい。
【００１４】
本発明に係る情報処理システムの更に別の特徴構成は、施設に設置される動作機器との間で情報通信を行うと共に、利用者に対して前記動作機器の動作に関する情報の出力を行う出力部と、前記動作機器の動作に関する利用者による操作入力を受け付ける複数のスイッチを有する入力受付部とを備える情報入出力機器を備え、
前記情報入出力機器は、サーバ装置との間で情報通信網を介して情報通信可能に構成され、
前記情報入出力機器で実行可能な機能には、前記動作機器の動作に関して予め搭載されている基本機能が有り、
前記情報入出力機器が前記基本機能を実行する場合に利用者に対して要求される固有のスイッチ操作と、当該基本機能に関して前記情報入出力機器で行われる処理とが関連付けられた状態で予め設定されており、
前記スイッチ操作は、複数の前記スイッチのうちの何れかの操作対象スイッチと、当該操作対象スイッチに対する操作入力手法との組み合わせで規定されている情報処理システムであって、
前記情報入出力機器で実行可能な機能には、前記情報入出力機器に追加設定可能な拡張機能が有り、
前記情報入出力機器に前記拡張機能が追加設定されると、前記情報入出力機器が前記拡張機能を実行する場合に利用者に対して要求される固有の前記スイッチ操作と、当該拡張機能に関して前記情報入出力機器で行われる処理とが関連付けられた状態で追加設定され、
前記情報入出力機器は、前記入力受付部が利用者から所定の前記拡張機能に対応する前記スイッチ操作を受け付けた場合、当該拡張機能の実行が指令されたと判定して、当該拡張機能に関する情報を前記サーバ装置に送信し、
前記情報入出力機器から受信した特定の前記拡張機能に関する情報を前記サーバ装置にて処理させるように構成され、
前記サーバ装置は、収集済みの前記動作機器の状態に関するデータ又は収集済みの前記施設の環境に関するデータを用いて、前記拡張機能に関する情報を処理する点にある。
【００１５】
上記特徴構成によれば、情報入出力機器に搭載されている基本機能とは別の拡張機能を情報入出力機器に追加で搭載することができる。そして、情報入出力機器に拡張機能が追加設定されると、情報入出力機器が拡張機能を実行する場合に利用者に対して要求される固有のスイッチ操作と、その拡張機能に関して情報入出力機器で行われる処理とが関連付けられた状態で追加設定される。その結果、情報入出力機器は、入力受付部が利用者から所定の拡張機能に対応するスイッチ操作を受け付けた場合、基本機能と混同することなく拡張機能の実行が指令されたと判定できる。
加えて、情報入出力機器は、入力受付部が利用者から所定の拡張機能に対応するスイッチ操作を受け付けた場合、その拡張機能の実行が指令されたと判定して、その拡張機能に関する情報をサーバ装置に送信し、サーバ装置にて、情報入出力機器から受信した特定の拡張機能に関する処理を行わせる。従って、予め搭載されている基本機能とは別の拡張機能を情報入出力機器に追加でき、情報入出力機器が、外部のサーバ装置と連動してその拡張機能を実行できる情報処理システムを提供できる。
【００１６】
更に、サーバ装置は、収集済みの動作機器の状態に関するデータ又は収集済みの施設の環境に関するデータを用いて、拡張機能に関する情報を処理する。つまり、サーバ装置は、利用者が使用する動作機器の最新の状態、又は、利用者が活動する施設の最新の環境を考慮して、拡張機能に関する情報を適切に処理できる。
【００１７】
本発明に係る情報処理システムの更に別の特徴構成は、前記拡張機能の一つとして、前記施設に設置された特定の前記動作機器の状態を検証するための機器状態検証機能があり、
前記サーバ装置は、前記拡張機能の一つとして設定されている前記機器状態検証機能に関する情報を処理する場合、収集済みの特定の前記動作機器の状態に関するデータを解析し、特定の前記動作機器の状態の検証結果が前記情報入出力機器において利用者に対して出力されるように前記情報入出力機器へ送信する点にある。
ここで、前記情報入出力機器は、特定の前記拡張機能に関する情報を前記サーバ装置に送信すると共に、前記施設に設置された特定の前記動作機器の状態に関するデータを前記サーバ装置に送信してもよい。
【００１８】
上記特徴構成によれば、拡張機能の一つとして、施設に設置された特定の動作機器の状態を検証するための機器状態検証機能が用意されている。利用者がこの機器状態検証機能の実行を指令すると、サーバ装置は、収集済みの特定の動作機器の状態に関するデータを解析し、特定の動作機器の状態の検証結果が情報入出力機器において利用者に対して出力されるように情報入出力機器へ送信する。つまり、利用者は、例えば特定の動作機器の状態に懸念がある場合にこの機器状態検証機能に対応するスイッチ操作を行うことで、その特定の動作機器の最新の状態に基づく検証結果を得ることができる。
【００１９】
本発明に係る情報処理システムの更に別の特徴構成は、前記拡張機能の一つとして、前記施設に設置された特定の前記動作機器の状態を検証するための機器状態検証機能があり、
前記サーバ装置は、前記拡張機能の一つとして設定されている前記機器状態検証機能に関する情報を処理する場合、収集済みの特定の前記動作機器の状態に関するデータを解析した結果が特定の前記動作機器で問題が発生しているという内容になる場合、特定の前記動作機器で発生している問題への対処方法についての情報を、前記情報入出力機器において利用者に対して出力されるように前記情報入出力機器へ送信するという処理を実行する点にある。
【００２０】
上記特徴構成によれば、問題が発生している動作機器の利用者は、情報入出力機器において、サーバ装置からその問題への対処方法についての情報の伝達を受けることができる。その結果、利用者がその対処を実行することで、問題が発生している動作機器の状態が改善することが期待できる。
【００２１】
本発明に係る情報処理システムの更に別の特徴構成は、前記拡張機能の一つとして、前記施設に設置された特定の前記動作機器の状態を検証するための機器状態検証機能があり、
前記サーバ装置は、前記拡張機能の一つとして設定されている前記機器状態検証機能に関する情報を処理する場合、収集済みの特定の前記動作機器の状態に関するデータを解析した結果が特定の前記動作機器で問題が発生しているという内容になる場合、特定の前記動作機器で発生している問題への対処を行うという処理を実行する点にある。
【００２２】
上記特徴構成によれば、サーバ装置がその対処を実行することで、問題が発生している動作機器の状態が改善することが期待できる。
【００２３】
本発明に係る情報処理システムの更に別の特徴構成は、前記拡張機能の一つとして、前記施設での冷房運転及び暖房運転の少なくとも一方を行うことができる温調用の動作機器に対して、前記サーバ装置から動作制御指令を送信する温調機能があり、
前記サーバ装置は、前記拡張機能の一つとして設定されている前記温調機能に関する情報を処理する場合、
収集済みの前記施設の環境に関するデータを解析し、前記施設の環境を好ましい環境に近付けるための前記温調用の動作機器の運転条件を決定して、前記運転条件に従った運転を前記温調用の動作機器で行わせるための動作制御指令を前記温調用の動作機器へ送信する点にある。
ここで、前記情報入出力機器は、前記拡張機能に関する情報を前記サーバ装置に送信すると共に、前記施設の環境に関するデータを前記サーバ装置に送信してもよい。
【００２４】
上記特徴構成によれば、拡張機能の一つとして、施設での冷房運転及び暖房運転の少なくとも一方を行うことができる温調用の動作機器に対して、サーバ装置から動作制御指令を送信する温調機能が用意されている。利用者がこの温調機能の実行を指令すると、サーバ装置は、収集済みの施設の環境に関するデータを解析し、施設の環境を好ましい環境に近付けるための温調用の動作機器の運転条件を決定して、運転条件に従った運転を温調用の動作機器で行わせるための動作制御指令を温調用の動作機器へ送信する。つまり、利用者は、この温調機能に対応するスイッチ操作を行うことで、温調用の動作機器を制御するための専用のリモコン等を操作しなくても、サーバ装置から送信される施設の最新の環境に基づく動作制御指令に従って温調用の動作機器を自動で動作させ、施設の環境を好ましい環境に近付けることができる。
【００２５】
上記目的を達成するための本発明に係る情報入出力機器の特徴構成は、上述の情報処理システムにおいて用いられる情報入出力機器の機能を備えることを特徴とする。
【図面の簡単な説明】
【００２６】
【図１】情報処理システムの構成を示す図である。
【図２】情報入出力機器の具体例を示す図である。
【図３】情報入出力機器及びサーバ装置で記憶されている情報の例を説明する図である。
【図４】端末機器の表示画面例を示す図である。
【図５】情報入出力機器で行われる情報処理を説明するフローチャートである。
【図６】情報入出力機器及びサーバ装置の間で行われる情報処理を説明する図である。
【図７】情報入出力機器の具体例を示す図である。
【図８】情報入出力機器及びサーバ装置の間で行われる情報処理を説明する図である。
【図９】情報入出力機器及びサーバ装置の間で行われる情報処理を説明する図である。
【図１０】別構成の情報入出力機器の具体例を示す図である。
【発明を実施するための形態】
【００２７】
以下に図面を参照して本発明の実施形態に係る情報処理システム及び情報入出力機器について説明する。
図１は情報処理システムの構成を示す図である。本実施形態に係る情報処理システムは情報入出力機器２０を備え、情報入出力機器２０は、サーバ装置１との間で情報通信網５を介して情報通信可能に構成される。図示するように、サーバ装置１は、複数の施設６との間で情報通信網５を介して通信可能に接続されている。施設６には、動作機器１０，３１と、台所リモコンなどの情報入出力機器２０と、ルーター７とが設けられている。動作機器１０と情報入出力機器２０とは、施設６の内部の有線又は無線の通信回線８を介して情報通信可能になっている。また、情報入出力機器２０とルーター７とは通信回線８を介して情報通信可能になっている。加えて、施設６には、浴室リモコンなどの情報入出力機器３０や、スマートフォンやコンピュータ装置などの端末機器９も、通信回線８を介してルーター７に接続されて設けられている。図１では、スマートフォンなどの端末機器９がルーター７を介してサーバ装置１に接続される例を示しているが、スマートフォンなどの端末機器９がルーター７を介さず、移動体通信網を介してサーバ装置１に接続されてもよい。
以下の説明では、台所リモコンとしての情報入出力機器２０の構成について説明するが、浴室リモコンとしての情報入出力機器３０が、情報入出力機器２０と同様の機能を果たすように構成してもよい。
【００２８】
情報入出力機器２０は、施設６に設置される動作機器１０との間で情報通信を行うと共に、利用者に対して動作機器１０の動作に関する情報の出力を行う出力部２１と、動作機器１０の動作に関する利用者による操作入力を受け付ける複数のスイッチを有する入力受付部２２とを備える。出力部２１による情報の出力方法には、音声情報の出力や、文字情報の出力などがある。加えて、情報入出力機器２０は、制御部２３と、記憶部２４と、通信部２５とを備える。通信部２５は、有線又は無線で動作機器１０と通信し、ルーター７を介してサーバ装置１と通信するための装置である。制御部２３は、情報入出力機器２０の動作を制御するための装置である。記憶部２４は、情報入出力機器２０で取り扱う情報を記憶する装置である。情報入出力機器２０は、情報通信網５に対して接続される装置であるので、その情報通信網５において一意な識別情報を有している。例えば、情報入出力機器２０に付与される識別情報は、情報通信網５において一意なＭＡＣアドレスなどであり、製造時や出荷時などに記憶部２４に記憶されている。
【００２９】
サーバ装置１は、施設６に設置された情報入出力機器２０との間で情報通信網５を介して情報通信可能である。サーバ装置１は、情報処理を行うサーバ側制御部２と、情報を記憶するサーバ側記憶部３と、情報入出力機器２０や端末機器９などと通信を行うサーバ側通信部４とを備える。
【００３０】
動作機器１０，３１は、施設６の利用者によって利用される装置である。例えば、動作機器１０は、風呂湯張りや給湯などに湯を供給するために用いられる給湯器、燃料電池などの発電装置である。本実施形態の動作機器１０は、動作部１１と、機器制御部１２と、機器記憶部１３と、機器通信部１４とを有する。動作部１１は、上述した給湯器の場合には例えば加熱用ヒーター、発電装置の場合には例えば燃料電池などの装置である。機器制御部１２は、動作部１１の制御や、機器運転情報の収集を行う装置である。機器記憶部１３は、動作機器１０で取り扱われる情報を記憶する装置である。機器通信部１４は、有線又は無線で情報入出力機器２０と通信するための装置である。
動作機器３１は、施設６の温度を調整できる空調装置及び床暖房装置等の温調用の動作機器や、施設６に設けられる照明機器などである。
【００３１】
また、施設６に設けられる各種センサ３２の測定結果が情報入出力機器２０に送信される。各種センサ３２は、例えば屋内温度や屋外温度を測定する温度センサ、上述した動作機器１０，３１の動作状態を示す情報を取得するセンサなどである。
【００３２】
図２は、情報入出力機器２０の具体例を示す図である。図２（ａ）及び図２（ｂ）は出力部２１と入力受付部２２とが各別に設けられている場合の例であり、図２（ｃ）は出力部２１と入力受付部２２とがタッチパネル式の表示装置を用いて一体で設けられている場合の例である。
【００３３】
情報入出力機器２０で実行可能な機能には、動作機器１０の動作に関して予め搭載されている基本機能が有る。例えば、動作機器１０が給湯器であり、情報入出力機器２０が給湯器に付随して設けられるリモコンの場合、給湯実行機能、風呂湯張り機能、風呂追焚き機能などの基本機能がある。
【００３４】
給湯実行機能は、所定の流水量が検知された場合に水の加熱を行う機能である。この場合、情報入出力機器２０に設けられた、給湯実行機能の実行・停止を切り替えるための「運転入／切」スイッチ２２ａが用いられる。情報入出力機器２０は、給湯の運転切状態で「運転入／切」スイッチ２２ａが１回押されると（操作入力）、動作機器１０としての給湯器に対して、給湯運転の「入」を伝達する。その結果、給湯器では、所定の流水量が検知された場合に加熱を行う給湯許可状態になる。それに対して、情報入出力機器２０は、給湯の運転入状態で「運転入／切」スイッチ２２ａが１回押されると（操作入力）、動作機器１０としての給湯器に対して、給湯運転の「切」を伝達する。その結果、給湯器では、所定の流水量が検知されても加熱を行わない給湯不許可状態になる。
【００３５】
風呂湯張り機能は、浴槽に湯を貯める機能である。この場合、情報入出力機器２０に設けられている、風呂湯張りの開始を指令するための「ふろ自動」スイッチ２２ｂが用いられる。情報入出力機器２０は、自動切状態で「ふろ自動」スイッチ２２ｂが１回押されると（操作入力）、浴槽に設定温度の湯を設定水位まで貯める湯張り運転の実行を給湯器に指令する。
【００３６】
風呂追焚き機能は、浴槽に貯えられている湯を設定温度まで加熱する機能である。情報入出力機器２０に設けられている、風呂追焚きの開始を指令するための「追いだき」スイッチ２２ｃが用いられる。情報入出力機器２０は、追焚き切状態で「追いだき」スイッチ２２ｃが１回押されると（操作入力）、浴槽に貯えられている湯を設定温度まで加熱する追焚き運転の実行を給湯器に指令する。
【００３７】
このように、情報入出力機器２０が基本機能を実行する場合に利用者に対して要求される固有のスイッチ操作と、その基本機能に関して情報入出力機器２０で行われる処理とが関連付けられた状態で予め設定されている。また、スイッチ操作は、複数のスイッチのうちの何れかの操作対象スイッチと、その操作対象スイッチに対する操作入力手法との組み合わせで規定されている。
【００３８】
情報入出力機器２０の出力部２１には、情報入出力機器２０がルーター７と情報通信を行うことができる状態であるか否かを示す情報を利用者に出力する通信可否表示領域２１ａが設けられている。そして、利用者は、通信可否表示領域２１ａに示される画像を見て、情報入出力機器２０がルーター７及びサーバ装置１と情報通信を行うことができる状態であるか否かを認識できる。
【００３９】
情報入出力機器２０で実行可能な機能には、上述した基本機能の他に、情報入出力機器２０に追加設定可能な拡張機能もある。
情報入出力機器２０の入力受付部２２は、上述した「運転入／切」スイッチ２２ａ及び「ふろ自動」スイッチ２２ｂ及び「追いだき」スイッチ２２ｃに加えて、「拡張機能Ｎｏ．１」スイッチ２２ｄ及び「拡張機能Ｎｏ．２」スイッチ２２ｅも有する。「拡張機能Ｎｏ．１」スイッチ２２ｄ及び「拡張機能Ｎｏ．２」スイッチ２２ｅは、情報入出力機器２０で実行可能な機能のうち、情報入出力機器２０に追加設定可能な拡張機能の実行を指令する場合に利用者が操作するスイッチである。
【００４０】
以下の表１は、情報入出力機器２０で実行可能な機能と、動作機器１０の動作と、利用者に対して要求される固有のスイッチ操作（操作対象スイッチ及び操作入力手法）と、情報入出力機器２０で行われる処理との関係を示したものである。
【００４１】
【表１】
2020150410.tif 000003
【００４２】
表１に示すように、情報入出力機器２０に拡張機能が追加設定されると、情報入出力機器２０が拡張機能を実行する場合に利用者に対して要求される固有のスイッチ操作と、その拡張機能に関して情報入出力機器２０で行われる処理とが関連付けられた状態で追加設定される。
【００４３】
本実施形態では、２つの拡張機能が情報入出力機器２０に追加設定可能に構成されている。そして、情報入出力機器２０は、入力受付部２２が利用者から所定の拡張機能に対応するスイッチ操作を受け付けた場合、その拡張機能の実行が指令されたと判定して、その拡張機能に関する情報をサーバ装置１に送信する。具体例を挙げると、情報入出力機器２０は、「拡張機能Ｎｏ．１」スイッチ２２ｄが１回押されると、「拡張機能Ｎｏ．１」の実行が指令されたことをサーバ装置１に伝達する。また、情報入出力機器２０は、「拡張機能Ｎｏ．２」スイッチ２２ｅが１回押されると、「拡張機能Ｎｏ．２」の実行が指令されたことをサーバ装置１に伝達する。
【００４４】
次に、図３及び図４を参照して、拡張機能を情報入出力機器２０に追加設定する場合の手順について説明する。図３は、情報入出力機器２０及びサーバ装置１で記憶されている情報の例を説明する図である。図４は、端末機器９の表示画面例を示す図である。
図３に示すように、情報入出力機器２０の記憶部２４には、基本機能情報と拡張機能情報とが記憶されている。基本機能情報は、上述した給湯実行機能についての情報及び風呂湯張り機能についての情報及び風呂追焚き機能についての情報である。拡張機能情報は、情報入出力機器２０で追加設定されている拡張機能についての情報である。図３に示す例の場合、「拡張機能Ｎｏ．１」には何らかの拡張機能が設定済みであり、「拡張機能Ｎｏ．２」には拡張機能が未設定であることが情報入出力機器２０の記憶部２４に記憶されている。この場合、情報入出力機器２０の制御部２３は、拡張機能の設定が既に行われている「拡張機能Ｎｏ．１」スイッチ２２ｄが１回押されると、「拡張機能Ｎｏ．１」の実行が指令されたことをサーバ装置１に伝達するが、拡張機能が未設定である「拡張機能Ｎｏ．２」スイッチ２２ｅが１回押されたとしても何らかの処理を行わない。つまり、「拡張機能Ｎｏ．２」スイッチ２２ｅは無効になっている。
【００４５】
サーバ装置１のサーバ側記憶部３には、利用者情報（利用者に関する情報）、型番別の機器情報、拡張機能候補情報などが記憶されている。利用者情報（利用者に関する情報）は、利用者の名前、住所、電話番号、顧客番号（利用者ＩＤ）、ログインパスワード、情報入出力機器２０としてのリモコンの型番、リモコンＩＤ（例えばＭＡＣアドレスなど）、設定済みの拡張機能（拡張機能用のスイッチ番号と拡張機能との関係）、通知先アドレス情報、遠隔制御対象の動作機器（例えば、図１の動作機器３１等）の情報などを含む。
【００４６】
加えて、サーバ装置１のサーバ側記憶部３には、様々なリモコンの型番別の機器情報が、リモコン型番と装置情報（スイッチ配置）とを特定可能な様式で記憶されている。例えば、サーバ側記憶部３には、リモコン型番が「００１−Ａ００１型」であれば、図２（ａ）のように出力部２１と入力受付部２２とが各別に設けられており、「運転入／切」スイッチ２２ａ及び「ふろ自動」スイッチ２２ｂ及び「追いだき」スイッチ２２ｃ及び「拡張機能Ｎｏ．１」スイッチ２２ｄ及び「拡張機能Ｎｏ．２」スイッチ２２ｅという５つのスイッチが設けられていることが記憶されている。
【００４７】
そして、サーバ装置１のサーバ側記憶部３には、情報入出力機器２０に追加可能な拡張機能の候補についての情報が記憶されている。図３に示す例では、拡張機能候補として、通知機能（「ただいま」機能）、機器制御機能、作業依頼機能、機器状態検証機能、温調機能などがある。尚、情報入出力機器２０に追加可能な拡張機能は本実施形態で例示したものに限定されない。
【００４８】
次に、利用者が、自身の情報入出力機器２０の拡張機能用のスイッチ（入力受付部２２）に拡張機能を追加設定する場合の手法例について説明する。図４は、利用者のコンピュータ装置などの端末機器９の表示画面例である。利用者が、端末機器９を用いて、拡張機能の設定を行うことができる所定のＵＲＬにアクセスし、利用者ＩＤ及びログインパスワードの入力を経てサーバ装置１での利用者の認証が行われた後、図４に示すような画面が利用者の端末機器９に表示される。この表示画面では、利用者の名前と、利用者が使用している情報入出力機器２０（リモコン）の型番とが利用者情報表示領域４０に表示されている。
【００４９】
設定済み機能表示領域４２には、利用者の情報入出力機器２０で既に設定されている機能のリストが表示される。この場合、基本機能として、給湯実行機能と風呂湯張り機能と風呂追焚き機能とが設定されていることが示されている。未設定機能表示領域４３には、利用者の情報入出力機器２０に追加設定可能な機能のリストが表示される。
【００５０】
例えば、利用者が未設定機能表示領域４３の「作業依頼機能」を選択した状態で追加ボタン４４を選択操作すると、「拡張機能Ｎｏ．２」スイッチ２２ｅに「作業依頼機能」が追加設定される。それに対して、設定済み機能表示領域４２の「拡張機能Ｎｏ．１」を選択した状態で削除ボタン４５を選択操作すると、「拡張機能Ｎｏ．１」スイッチ２２ｄに設定されていた「機器制御機能」が設定解除される。このようにして、利用者は、情報入出力機器２０に拡張機能の追加及び削除を行うことができる。
【００５１】
利用者は図４に示す表示画面で登録情報変更ボタン４１を選択操作することで、自身の利用者情報を変更することができる。例えば、利用者は、住所、電話番号、ログインパスワードなどの変更を行うことができる。また、後述する通知機能で利用される通知先（電子メールアドレス）のアドレスの追加や削除を行うことができ、機器制御機能や温調機能で利用される遠隔制御対象の動作機器３１の追加や削除を行うことができる。
【００５２】
次に図面を参照して情報入出力機器２０で行われる情報処理の具体例について説明する。図５は、情報入出力機器２０で行われる情報処理を説明するフローチャートである。
図５の工程＃１０において情報入出力機器２０の制御部２３は、拡張機能に対応するスイッチ操作を受け付けたか否かを判定する。そのスイッチ操作を受け付けていない場合にはこのフローチャートの最初に戻り、スイッチ操作を受け付けた場合には工程＃１１に移行する。例えば、「拡張機能Ｎｏ．１」スイッチ２２ｄに何らかの拡張機能が設定されている場合、「拡張機能Ｎｏ．１」スイッチ２２ｄを操作対象スイッチとして、所定の操作入力手法に則った操作が行われると、情報入出力機器２０の制御部２３は、「拡張機能Ｎｏ．１」スイッチ２２ｄに設定された拡張機能に対応するスイッチ操作を受け付けたと判定する。
【００５３】
その後、情報入出力機器２０の制御部２３は、工程＃１１においてスイッチ操作の検証処理を行い、工程＃１２において通信状況の検証処理を行い、工程＃１３において上述したようなサーバ装置１への送信処理を行う。工程＃１１では、情報入出力機器２０の制御部２３は、例えば、利用者がスイッチ操作を誤った場合を想定して、拡張機能の実行を行うか否かを確認するための問い合わせを音声情報や文字情報などで利用者へ行う。工程＃１２では、情報入出力機器２０の制御部２３は、例えば、ルーター７との間で情報通信を行うことができるか否か、即ち、サーバ装置１との間で情報通信を行うことができるか否かを検証する。そして、情報入出力機器２０の制御部２３は、サーバ装置１との間で情報通信を行うことができない場合、入力受付部２２が利用者から所定の拡張機能に対応するスイッチ操作を受け付けた後、サーバ装置１との間で情報通信を行うことができない旨の情報を出力部２１から利用者に対して通知する。
【００５４】
次に、情報入出力機器２０に追加設定可能な拡張機能の具体例を説明する。
【００５５】
〔通知機能（「ただいま」機能）〕
通知機能（「ただいま」機能）は、サーバ装置１から、サーバ装置１のサーバ側記憶部３に記憶してある利用者に関連する通知先アドレス（利用者に関する情報）に所定の通知を送信する機能であり、具体的には、利用者が拡張機能用のスイッチを押すと、スイッチが押されたことが登録済み端末機器９に通知される機能である。例えば、子供が帰宅したときに拡張機能用のスイッチを押すと、その子供の親が使用するスマートフォンなどの端末機器９に通知が送信される。
【００５６】
具体的な手順を説明すると、「拡張機能Ｎｏ．１」スイッチ２２ｄに通知機能（「ただいま」機能）が設定されている場合、子供が帰宅して「拡張機能Ｎｏ．１」スイッチ２２ｄに対して１回短時間押し操作を行うと、情報入出力機器２０は、「拡張機能Ｎｏ．１」に設定されている拡張機能の実行が指令されたと判定して、「拡張機能Ｎｏ．１」の実行が指令された旨の情報と、利用者を特定するための固有の識別情報（リモコンＩＤ（例えばＭＡＣアドレスなど））とをサーバ装置１に送信する。そうすると、サーバ装置１は、サーバ側記憶部３に記憶されている利用者情報を参照して利用者を特定し、その利用者が設定している通知先アドレス（電子メールアドレス）に対して、帰宅者がいる旨のメッセージを送信する。尚、サーバ装置１のサーバ側記憶部３に複数の通知先アドレスが記憶されている場合、利用者は、自身の情報入出力機器２０の拡張機能用のスイッチ（入力受付部２２）に通知機能（「ただいま」機能）を追加設定すると共に、どの通知先アドレスに通知を送信するのかを設定すればよい。
【００５７】
〔機器制御機能〕
機器制御機能は、利用者が拡張機能用のスイッチを押すと、登録された機器に対して遠隔操作、例えば、施設６での冷房運転及び暖房運転の少なくとも一方を行うことができる空調装置や床暖房装置等の温調用の動作機器（動作機器３１）に対して、サーバ装置１から動作開始及び動作停止の切替指令の送信が行われる機能である。他にも、利用者が拡張機能用のスイッチを押すと、登録された照明機器（動作機器３１）に対して、サーバ装置１から動作開始及び動作停止の切替指令の送信が行われるような機器制御機能であってもよい。
【００５８】
具体的な手順を説明すると、「拡張機能Ｎｏ．１」スイッチ２２ｄに機器制御機能が設定されている場合、利用者が「拡張機能Ｎｏ．１」スイッチ２２ｄに対して１回短時間押し操作を行うと、情報入出力機器２０は、「拡張機能Ｎｏ．１」に設定されている拡張機能の実行が指令されたと判定して、「拡張機能Ｎｏ．１」の実行が指令された旨の情報と、利用者を特定するための固有の識別情報（リモコンＩＤ（例えばＭＡＣアドレスなど））とをサーバ装置１に送信する。そうすると、サーバ装置１は、サーバ側記憶部３に記憶されている利用者情報を参照して利用者を特定し、機器制御機能の実行が指令されたと判定する。そして、サーバ装置１は、サーバ側記憶部３に記憶している遠隔制御対象の動作機器（例えば、温調用の動作機器や照明機器などの動作機器３１）を特定し、その動作機器３１に対してＯＮ指令やＯＦＦ指令などを送信する処理を行う。
【００５９】
このような機器制御機能が情報入出力機器２０に追加設定されている場合、サーバ装置１は、必要に応じて、その機器制御機能の実行を促す提案情報を情報入出力機器２０に送信する提案情報送信処理を以下のような手順で行ってもよい。
【００６０】
図６は、情報入出力機器２０及びサーバ装置１の間で行われる情報処理を説明する図である。この例では、サーバ装置１は、情報入出力機器２０に追加設定された拡張機能をサーバ側記憶部３に記憶しており、所定の参照情報に基づいて、情報入出力機器２０で既に追加設定されている拡張機能が実行されることが好ましいか否かを決定し、実行されることが好ましいと決定した拡張機能の実行を促す提案情報を情報入出力機器２０に送信する提案情報送信処理を行い、情報入出力機器２０は、サーバ装置１から受信した提案情報を利用者に対して出力する提案情報出力処理を行う。
【００６１】
具体的に説明すると、情報入出力機器２０では、エアコン（温調用の動作機器３１の一例）を制御対象の動作機器として、機器制御機能が「拡張機能Ｎｏ．１」スイッチ２２ｄに設定されている。また、サーバ装置１は、情報入出力機器２０において、エアコン（温調用の動作機器３１）を制御対象とする機器制御機能が追加設定されていることをサーバ側記憶部３に記憶している。この場合、図６に示すように、情報入出力機器２０は、上記参照情報として、各種センサ３２から収集したデータ（例えば施設６の室内温度や室外温度など）を所定のタイミングでサーバ装置１に送信し（工程＃２０、工程＃２３）、そのデータはサーバ装置１で収集される（工程＃２１、工程＃２４）。或いは、サーバ装置１が、気象情報提供者などの外部装置から、施設６での（即ち、利用者の住所での）室外温度等のデータを収集してもよい。
【００６２】
そして、サーバ装置１は、収集済みの施設６の環境に関するデータ（例えば施設６の室内温度や室外温度など）を参照情報として解析し、温調用の動作機器３１を動作開始又は動作停止すれば施設６の環境が好ましい環境に近付くと予測される場合に、機器制御機能が実行されることが好ましいと決定し、実行されることが好ましいと決定した機器制御機能の実行を促す提案情報を情報入出力機器２０に送信する。
例えば、施設６での室内温度が所定の低温側基準温度未満（例えば８℃未満）の場合、或いは、施設６での室内温度が室外温度と同程度に低い（例えば８℃未満）場合、サーバ装置１は、エアコン（温調用の動作機器３１）を動作開始すれば室温が上昇して施設６の環境が好ましい環境に近付くと予測する（工程＃２５の「提案あり」）。それに対して、施設６での室内温度が高温側基準温度以上（例えば１８℃以上）の場合、或いは、施設６での室内温度が室外温度よりも大幅に（例えば温度差１０℃以上）高い場合、サーバ装置１は、既に施設６は好ましい環境のため、エアコン（温調用の動作機器３１）を動作開始する必要はないと判定する（工程＃２２の「提案なし」）。
【００６３】
そして、サーバ装置１は、工程＃２５で「提案あり」と判定した場合、実行されることが好ましいと決定した機器制御機能の実行を促す提案情報を情報入出力機器２０に送信する（工程＃２６）。図７は、情報入出力機器２０の具体例を示す図であり、情報入出力機器２０で、サーバ装置１から受信した提案情報を利用者に対して出力する提案情報出力処理が行われた状態を示す図である（図６の工程＃２７、工程＃２８）。具体的に説明すると、図７（ａ）では、「室温が下がっていますが、エアコンを運転開始しますか？  運転開始する場合は拡張機能Ｎｏ．１スイッチを押してください。」という提案情報が出力部２１から音声出力される。図７（ｂ）及び図７（ｃ）では、「室温が下がっていますが、エアコンを運転開始しますか？  運転開始する場合は拡張機能Ｎｏ．１スイッチを押してください。」という提案情報が出力部２１から文字出力される。
【００６４】
このように、利用者は、温調用の動作機器３１を動作開始及び動作停止することが好ましいタイミングでその実行を促して貰える。そして、利用者は、機器制御機能の実行を希望するのであれば、機器制御機能に対応するスイッチ操作を行えばよい。
その後、このような提案情報の提供を受けた利用者が、上述したような機器制御機能が追加設定された拡張機能Ｎｏ．１スイッチを押すと、上記手順で機器制御機能が実行されることで、利用者のエアコン（温調用の動作機器３１）の運転が開始される。
【００６５】
〔作業依頼機能〕
作業依頼機能は、利用者が拡張機能用のスイッチを押すと、施設６に設置された監視対象の動作機器１０，３１のためのメンテナンス作業の依頼が行われる機能である。
具体的な手順を説明すると、「拡張機能Ｎｏ．１」スイッチ２２ｄに作業依頼機能が設定されている場合、例えば、給湯器から温水が供給されない等の不具合が発生した場合に利用者が「拡張機能Ｎｏ．１」スイッチ２２ｄに対して１回短時間押し操作を行うと、情報入出力機器２０は、「拡張機能Ｎｏ．１」に設定されている拡張機能の実行が指令されたと判定して、「拡張機能Ｎｏ．１」の実行が指令された旨の情報と、利用者を特定するための固有の識別情報（リモコンＩＤ（例えばＭＡＣアドレスなど））とをサーバ装置１に送信する。そうすると、サーバ装置１は、サーバ側記憶部３に記憶されている利用者情報を参照して利用者を特定し、給湯器のメンテナンス作業担当者に対してその利用者の住所や給湯器型式などの情報（利用者に関する情報）を知らせて、メンテナンス作業の依頼を行う。
【００６６】
上述した機器制御機能の場合と同様に、このような作業依頼機能が情報入出力機器２０に追加設定されている場合、サーバ装置１は、必要に応じて、その作業依頼機能の実行を促す提案情報を情報入出力機器２０に送信する提案情報送信処理を以下のような手順で行ってもよい。
【００６７】
具体的に説明すると、情報入出力機器２０では、給湯器（動作機器１０）を監視対象の動作機器として、作業依頼機能が「拡張機能Ｎｏ．１」スイッチ２２ｄに設定されている。また、サーバ装置１は、情報入出力機器２０において、給湯器（動作機器１０）を監視対象とする作業依頼機能が追加設定されていることをサーバ側記憶部３に記憶している。この場合、図６に示すように、情報入出力機器２０は、上記参照情報として、各種センサ３２から収集したデータ（例えば動作機器１０としての給湯器の燃焼器の動作状態など）を所定のタイミングでサーバ装置１に送信し（工程＃２０、工程＃２３）、そのデータはサーバ装置１で収集される（工程＃２１、工程＃２４）。
【００６８】
そして、サーバ装置１は、収集済みの給湯器（監視対象の動作機器１０）の状態に関するデータを参照情報として解析し、監視対象の動作機器１０のメンテナンス作業を依頼することが好ましいと判定される場合に、作業依頼機能が実行されることが好ましいと決定し、実行されることが好ましいと決定した作業依頼機能の実行を促す提案情報を情報入出力機器２０に送信する。例えば給湯器（監視対象の動作機器１０）の燃焼器（動作部１１）で点火不良が発生している場合、サーバ装置１は、給湯器のメンテナンス作業を依頼することが好ましいと判定する（（工程＃２５の「提案あり」））。それに対して、給湯器（監視対象の動作機器１０）に動作不良が発生していない場合、サーバ装置１は、給湯器のメンテナンス作業を依頼する必要はないと判定する（工程＃２２の「提案なし」）。
【００６９】
そして、サーバ装置１は、工程＃２５で「提案あり」と判定した場合、実行されることが好ましいと決定した作業依頼機能の実行を促す提案情報を情報入出力機器２０に送信する（工程＃２６）。例えば、「給湯器に不具合の可能性があります。メンテナンス作業を依頼する場合は拡張機能Ｎｏ．１スイッチを押してください。」という提案情報が、情報入出力機器２０で受信され、音声出力又は文字出力される（工程＃２７、工程＃２８）。
【００７０】
このように、利用者は、自身が監視対象の動作機器１０の状態に懸念を抱いていなくても、作業依頼機能が実行されることが好ましいタイミングで、その実行を促して貰える。そして、利用者は、作業依頼機能の実行を希望するのであれば、作業依頼機能に対応するスイッチ操作を行えばよい。
その後、このような提案情報の提供を受けた利用者が、上述したような作業依頼機能が追加設定された例えば拡張機能Ｎｏ．１スイッチを押すと、上述したような手順で作業依頼機能が実行されることで、サーバ装置１は、サーバ側記憶部３に記憶されている利用者情報を参照して利用者を特定し、給湯器のメンテナンス作業担当者に対してその利用者の住所や給湯器型式などの情報（利用者に関する情報）を知らせて、メンテナンス作業の依頼を行う。
【００７１】
〔機器状態検証機能〕
機器状態検証機能は、利用者が拡張機能用のスイッチを押すと、施設６に設置された特定の動作機器１０，３１の状態の検証が行われる機能である。サーバ装置１は、拡張機能の一つとして設定されている機器状態検証機能に関する情報を処理する場合、収集済みの特定の動作機器１０，３１の状態に関するデータを解析し、特定の動作機器１０，３１の状態の検証結果が情報入出力機器２０において利用者に対して出力されるように情報入出力機器２０へ送信する。つまり、利用者は、例えば特定の動作機器１０，３１の状態に懸念がある場合にこの機器状態検証機能に対応するスイッチ操作を行うことで、その特定の動作機器１０，３１の最新の状態に基づく検証結果を得ることができる。
【００７２】
具体的に説明すると、情報入出力機器２０では、給湯器（特定の動作機器１０）を監視対象の動作機器として、機器状態検証機能が「拡張機能Ｎｏ．１」スイッチ２２ｄに設定されている。また、サーバ装置１は、情報入出力機器２０において、給湯器（特定の動作機器１０）を監視対象とする機器状態検証機能が追加設定されていることをサーバ側記憶部３に記憶している。図８に示すように、例えば、給湯器（動作機器１０）の動作音が通常と異なる場合に利用者が「拡張機能Ｎｏ．１」スイッチ２２ｄに対して１回短時間押し操作を行うと（工程＃３０）、情報入出力機器２０は、「拡張機能Ｎｏ．１」に設定されている拡張機能の実行が指令されたと判定する（工程＃３１）。加えて、情報入出力機器２０は、「拡張機能Ｎｏ．１」に関連付けられているデータ（給湯器（特定の動作機器１０）の状態に関するデータ）を収集する（工程＃３２）。この場合、給湯器（特定の動作機器１０）の状態に関するデータは、各種センサ３２から収集される、給湯器（動作機器１０）の状態に関するデータである。その後、情報入出力機器２０は、「拡張機能Ｎｏ．１」の実行が指令された旨の情報と、利用者を特定するための固有の識別情報（リモコンＩＤ（例えばＭＡＣアドレスなど））と、収集したデータとをサーバ装置１に送信する（工程＃３３）。尚、情報入出力機器２０は、「拡張機能Ｎｏ．１」に関連付けられているデータ（給湯器（特定の動作機器１０）の状態に関するデータ）を、サーバ装置１から要求された場合に送信するような改変も可能である。
【００７３】
その後、工程＃３４においてそれら情報を受信したサーバ装置１は、サーバ側記憶部３に記憶されている利用者情報を参照して利用者を特定し、収集済みの給湯器（特定の動作機器１０）の状態に関するデータを解析して、給湯器の動作が正常であるか否かといった給湯器の状態の検証結果を作成する（工程＃３５）。そして、サーバ装置１は、その検証結果を情報入出力機器２０に送信する（工程＃３６）。その結果、検証結果が情報入出力機器２０において受信され（工程＃３７）、利用者に対して出力される（工程＃３８）。
【００７４】
また、サーバ装置１は、上記検証結果が、特定の動作機器１０で問題が発生しているという内容になる場合、その検証結果を情報入出力機器２０に送信するという処理に代えて、或いは、その処理に加えて、その問題への対処方法についての情報を利用者に伝えるという処理や、その問題への対処をサーバ装置１自身で行うといった処理を実行してもよい。
【００７５】
サーバ装置１が、問題への対処方法についての情報を利用者に伝えるという処理を実行する場合の例としては以下のようなものがある。例えば、サーバ装置１は、動作機器１０で発生している特定の問題と、その特定の問題への、利用者が実行可能な対処方法とをサーバ側記憶部３に予め記憶しておく。そして、サーバ装置１は、収集済みの特定の動作機器１０の状態に関するデータを解析した結果が特定の動作機器１０で問題が発生しているという内容になる場合、検証結果を情報入出力機器２０に送信するという処理に代えて、或いは、その処理に加えて、特定の動作機器１０で発生している問題への対処方法についての情報を、情報入出力機器２０において利用者に対して出力されるように情報入出力機器２０へ送信するという処理を実行する。その結果、問題が発生している動作機器１０の利用者は、情報入出力機器２０において、サーバ装置１からその問題への対処方法についての情報の伝達を受けることができる。その結果、利用者がその対処を実行することで、問題が発生している動作機器１０の状態が改善することが期待できる。
【００７６】
サーバ装置１が、問題への対処をサーバ装置１自身で行うという処理を実行する場合の例としては以下のようなものがある。例えば、サーバ装置１は、動作機器１０で発生している特定の問題と、その特定の問題への、サーバ装置１側で実行可能な対処方法とをサーバ側記憶部３に予め記憶しておく。そして、サーバ装置１は、収集済みの特定の動作機器１０の状態に関するデータを解析した結果が特定の動作機器１０で問題が発生しているという内容になる場合、検証結果を情報入出力機器２０に送信するという処理に代えて、或いは、その処理に加えて、特定の動作機器１０で発生している問題への対処を行うという処理を実行する。例えば、サーバ装置１は、サーバ側記憶部３に記憶されている利用者情報を参照して利用者を特定し、動作機器１０のメンテナンス作業担当者に対して、動作機器１０で発生している問題の内容と利用者の住所や電話番号とを知らせると共にその利用者の施設６への出動や電話連絡を行うように依頼する。この場合、サーバ装置１は、上記検証結果として、動作機器１０で問題が発生していること、及び、メンテナンス作業担当者に対して出動や電話連絡の依頼を行ったことなどを含む情報を情報入出力機器２０に送信してもよい。
他には、サーバ装置１は、情報入出力機器２０で動作しているソフトウェアのバージョン情報をサーバ側記憶部３で予め記憶しておき、特定の動作機器１０で発生している問題が、情報入出力機器２０で動作しているソフトウェアのバージョンが適切なバージョンでない（即ち、新しいバージョンでない）ことに原因があるならば、サーバ装置１から情報入出力機器２０に適切なバージョンのソフトウェアを送信して、情報入出力機器２０で動作しているソフトウェアを書き換えさせるという対処を実行する。この場合、サーバ装置１は、上記検証結果として、動作機器１０で問題が発生していること、及び、情報入出力機器２０で動作しているソフトウェアを書き換えたことなどを含む情報を情報入出力機器２０に送信してもよい。尚、サーバ装置１が、特定の動作機器１０で発生している問題への対処のために実行する処理の内容は、上述した例に限定されず適宜設定できる。
【００７７】
〔温調機能〕
温調機能は、利用者が拡張機能用のスイッチを押すと、施設６での冷房運転及び暖房運転の少なくとも一方を行うことができる温調用の動作機器（動作機器３１）に対して、サーバ装置１から動作制御指令が送信される機能である。サーバ装置１は、拡張機能の一つとして設定されている温調機能に関する情報を処理する場合、収集済みの施設６の環境に関するデータを解析し、施設６の環境を好ましい環境に近付けるための温調用の動作機器３１の運転条件を決定して、運転条件に従った運転を温調用の動作機器３１で行わせるための動作制御指令を温調用の動作機器３１へ送信する。つまり、利用者は、この温調機能に対応するスイッチ操作を行うことで、温調用の動作機器３１を制御するための専用のリモコン等を操作しなくても、サーバ装置１から送信される施設６の最新の環境に基づく動作制御指令に従って温調用の動作機器３１を自動で動作させ、施設６の環境を好ましい環境に近付けることができる。
【００７８】
具体的に説明すると、情報入出力機器２０では、温調用の動作機器（動作機器３１）を用いて行われる温調機能が「拡張機能Ｎｏ．１」スイッチ２２ｄに設定されている。また、サーバ装置１は、情報入出力機器２０において温調用の動作機器３１を用いて行われる温調機能、即ち、温調用の動作機器３１を制御対象とする温調機能が追加設定されていることをサーバ側記憶部３に記憶している。図９に示すように、例えば、利用者が帰宅して、施設６内の温度を調整することを目的とした場合、利用者が「拡張機能Ｎｏ．１」スイッチ２２ｄに対して１回短時間押し操作を行うと（工程＃４０）、情報入出力機器２０は、「拡張機能Ｎｏ．１」に設定されている拡張機能の実行が指令されたと判定する（工程＃４１）。加えて、情報入出力機器２０は、「拡張機能Ｎｏ．１」に関連付けられているデータ（施設６の環境に関するデータ）を収集する（工程＃４２）。この場合、施設６の環境に関するデータは、各種センサ３２から収集される、施設６の室内温度などである。その後、情報入出力機器２０は、「拡張機能Ｎｏ．１」の実行が指令された旨の情報と、利用者を特定するための固有の識別情報（リモコンＩＤ（例えばＭＡＣアドレスなど））と、収集したデータとをサーバ装置１に送信する（工程＃４３）。尚、情報入出力機器２０は、「拡張機能Ｎｏ．１」に関連付けられているデータ（施設６の環境に関するデータ）、サーバ装置１から要求された場合に送信するような改変も可能である。
【００７９】
その後、工程＃４４においてそれら情報を受信したサーバ装置１は、サーバ側記憶部３に記憶されている利用者情報を参照して利用者を特定し、収集済みの施設６の環境に関するデータを解析して、施設６の環境を好ましい環境に近付けるための温調用の動作機器３１の運転条件を作成する（工程＃４５）。例えば、サーバ装置１は、エアコン（温調用の動作機器３１）を設定温度２５℃で冷房運転させるという運転条件を作成する。そして、サーバ装置１は、その運転条件に従った運転を温調用の動作機器３１で行わせるための動作制御指令を施設６の温調用の動作機器３１に送信する（工程＃４６）。加えて、サーバ装置１は、利用者の端末機器９に対して、温調用の動作機器３１で行わせるための動作制御指令の内容（指令結果）を送信する（工程＃４７）。その結果、施設６では、エアコン（温調用の動作機器３１）が設定温度２５℃で冷房運転され、そのことを利用者も認識できる。
【００８０】
＜別実施形態＞
＜１＞
上記実施形態では、本発明の情報処理システムについて具体例を挙げて説明したが、その構成は適宜変更可能である。例えば、上記実施形態では、情報入出力機器２０、動作機器１０、サーバ装置１などの構成や、それらで記憶されている情報などについて具体例を挙げて説明したが、それらは例示目的で記載したものであり、それらの内容は適宜変更可能である。
【００８１】
＜２＞
上記実施形態では、拡張機能の実行を指令する場合に利用者が操作する専用の「拡張機能Ｎｏ．１」スイッチ２２ｄ及び「拡張機能Ｎｏ．２」スイッチ２２ｅが情報入出力機器２０に設けられている場合の例を説明したが、そのような専用の「拡張機能Ｎｏ．１」スイッチ２２ｄ及び「拡張機能Ｎｏ．２」スイッチ２２ｅを設けなくてもよい。
【００８２】
図１０は、別構成の情報入出力機器２０の具体例を示す図である。図１０に示すように、この情報入出力機器２０の入力受付部２２は、上記実施形態と同様に「運転入／切」スイッチ２２ａ及び「ふろ自動」スイッチ２２ｂ及び「追いだき」スイッチ２２ｃを有するが、「拡張機能Ｎｏ．１」スイッチ２２ｄ及び「拡張機能Ｎｏ．２」スイッチ２２ｅを有していない。
【００８３】
以下の表２は、図１０に示した構成の情報入出力機器２０で実行可能な機能と、動作機器１０の動作と、利用者に対して要求される固有のスイッチ操作（操作対象スイッチ及び操作入力手法）と、情報入出力機器２０で行われる処理との関係を示したものである。
【００８４】
【表２】
2020150410.tif 000004
【００８５】
表２に示すように、２つの拡張機能が情報入出力機器２０に追加設定可能に構成されている。例えば、利用者が参照できる取扱説明書などに、「追いだき」スイッチ２２ｃに対する１回の長押し操作が「拡張機能Ｎｏ．１」の実行指令に対応すること、「ふろ自動」スイッチ２２ｂに対する１回の長押し操作が「拡張機能Ｎｏ．２」の実行指令に対応することが記載されている。そして、情報入出力機器２０の制御部２３は、「追いだき」スイッチ２２ｃに対して１回の長押し操作が行われると、「拡張機能Ｎｏ．１」の実行が指令されたことをサーバ装置１に伝達する。また、情報入出力機器２０の制御部２３は、「ふろ自動」スイッチ２２ｂに対して１回の長押し操作が行われると、「拡張機能Ｎｏ．２」の実行が指令されたことをサーバ装置１に伝達する。
【００８６】
＜３＞
上記実施形態では、利用者が、端末機器９を用いて、自身の情報入出力機器２０の拡張機能用のスイッチ（入力受付部２２）に拡張機能を追加設定する例を説明したが、他の装置を用いてもよい。例えば、利用者は、自身の情報入出力機器２０を用いて、その拡張機能用のスイッチに拡張機能を追加設定するように構成してもよい。
【００８７】
＜４＞
上記実施形態において、スイッチ操作は、利用者の物理的な動作を受け付けて行われるものだけでなく、利用者の音声を受け付けて行われるものや、利用者のジェスチャーを受け付けて行われるものなども含む。そして、入力受付部２２が有するスイッチは、利用者の物理的な動作を受け付けて状態が切り替わるスイッチである場合だけでなく、利用者の音声やジェスチャーなどの入力を受け付けて状態が切り替わる仮想的なスイッチである場合も含む。スイッチ操作が利用者の音声を受け付けて行われるものの場合、情報入出力機器２０が備える入力受付部２２としてのマイクロフォンが認識した音声が例えば「拡張機能Ｎｏ．１」の実行を指令する音声であれば、情報入出力機器２０は「拡張機能Ｎｏ．１」の実行指令が行われた（スイッチ操作が行われた）と判定する。或いは、スイッチ操作がジェスチャーによって行われるものである場合、情報入出力機器２０が備える入力受付部２２としてのカメラが認識した人のジェスチャーが例えば「拡張機能Ｎｏ．１」の実行を指令するジェスチャーであれば、情報入出力機器２０は「拡張機能Ｎｏ．１」の実行指令が行われた（スイッチ操作が行われた）と判定する。また、情報入出力機器２０が、入力受付部２２を用いた音声認識や顔認識で個人を特定できる場合、「拡張機能Ｎｏ．１」の実行を指令できる利用者を予め設定された人物のみに制限してもよい。
【００８８】
＜５＞
上記実施形態では、サーバ装置１のサーバ側記憶部３に記憶されているリモコン型番と装置情報（スイッチ配置）とに基づいて、利用者の情報入出力機器２０の入力受付部２２に割り当て可能な拡張機能の数を特定する例を説明したが、例えば、情報入出力機器２０からサーバ装置１へその入力受付部２２に割り当て可能な拡張機能の数を予め送信しておくような構成を採用してもよい。
【００８９】
＜６＞
上記実施形態では、情報入出力機器２０に追加可能な拡張機能の内容について、具体例を挙げて説明したが、各拡張機能の内容は適宜変更可能である。例えば、上記実施形態では、拡張機能の一つである機器制御機能が、温調用の動作機器３１に対して、サーバ装置１から動作開始及び動作停止の切替指令を送信する機能である場合を例示したが、サーバ装置１が、温調用の動作機器３１の動作開始の指令だけでなく、具体的な運転条件を含む指令を送信してもよい。例えば、サーバ装置１は、エアコン（温調用の動作機器３１）を設定温度２５℃で冷房運転させるという運転条件を含む動作開始の指令を送信してもよい。
【００９０】
＜７＞
上記実施形態では、所定の参照情報、動作機器の状態に関するデータ、施設の環境に関するデータなどについて、具体例を挙げて説明したが、それらの内容は適宜設定可能である。例えば、参照情報には、人感センサによる利用者の存在又は不在の検知結果や施設６での電力消費量などの情報を含めてもよい。動作機器の状態に関するデータには、その動作機器のエラー情報や累積の稼働時間・稼働回数などの情報を含めてもよい。施設の環境に関するデータには、施設６に供給される水道水等の水温などの情報を含めてもよい。
【００９１】
＜８＞
上記実施形態（別実施形態を含む）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００９２】
本発明は、予め搭載されている基本機能とは別の拡張機能を情報入出力機器に追加でき、情報入出力機器が外部のサーバ装置と連動して拡張機能を実行でき、情報入出力機器の利用者の行動確認を行うことができる情報処理システム、及び、その情報処理システムで用いられる情報入出力機器に利用できる。
【符号の説明】
【００９３】
１  サーバ装置
５  情報通信網
６  施設
１０  動作機器（給湯器）
２０  情報入出力機器（台所リモコン）
２１  出力部
２２  入力受付部
２２ｂ  「ふろ自動」スイッチ
２２ｃ  「追いだき」スイッチ
２２ｄ  「拡張機能Ｎｏ．１」スイッチ
２２ｅ  「拡張機能Ｎｏ．２」スイッチ
３０  情報入出力機器（浴室リモコン）
３１  動作機器
３２  各種センサ
【図１】
2020150410.tif 000005
【図２】
2020150410.tif 000006
【図３】
2020150410.tif 000007
【図４】
2020150410.tif 000008
【図５】
2020150410.tif 000009
【図６】
2020150410.tif 000010
【図７】
2020150410.tif 000011
【図８】
2020150410.tif 000012
【図９】
2020150410.tif 000013
【図１０】
2020150410.tif 000014